(57)【要約】    【課題】  携帯電話のストラップやネックストラップ等への着脱が容易に行なえ、しかも筆記が容易な小型ボールペンを提供する。    【解決手段】  ボールペンの本体の端部側に回転中心を有するクリップを有し、クリップを引き起こして本体の軸方向に延伸するようにして位置させたときにペン先が繰り出されてロックされると共に、ペン先のロックを解除してクリップを元の位置に戻すと繰り出されたペン先が本体内に引き込まれてその状態でロックされるように形成されたペン先の繰り出し機構を備え、クリップを引き起こすことによりペン先を繰り出してロックしたときにちょうど持ちやすい長さとなるように構成される。    【選択図】  図１
2005035174.tif 000002
【特許請求の範囲】
【請求項１】
ボールペンの本体の端部側に回転中心を有するクリップを有し、当該クリップを引き起こして前記本体の軸方向に延伸するようにして位置させたときにペン先が繰り出されてロックされると共に、ペン先のロックを解除して当該クリップを元の位置に戻すと繰り出されたペン先が本体内に引き込まれてその状態でロックされるように形成されたペン先の繰り出し機構を備え、前記クリップを引き起こすことによりペン先を繰り出してロックしたときにちょうど持ちやすい長さとなるように構成されたことを特徴とする小型ボールペン。
【請求項２】
請求項１に記載の小型ボールペンにおいて、
前記クリップは、
ボールペンの本体の端部側に位置して設けられた回転中心に回転可能に取着される中心孔が穿設された回転板部と、そして、
前記回転板部から略Ｕ字状に曲がるようにして形成されたＵ字部から延びるクリップ部と、
を備えて構成され、
前記本体の回転中心側の端部と前記Ｕ字部との間には隙間部を有して形成され、当該隙間部にストラップ等の保持用部材が掛止されるようにされたことを特徴とする小型ボールペン。
【請求項３】
請求項２に記載の小型ボールペンにおいて、
前記Ｕ字部には、前記クリップをペン先が本体内に引き込まれる位置に戻したときに前記保持用部材の掛止位置が前記クリップの回転中心を通って伸びる前記本体の軸線方向上に位置するように案内する凸部が設けられていることを特徴とする小型ボールペン。
【請求項４】
請求項３に記載の小型ボールペンにおいて、
前記クリップには前記保持用部材の脱落を防止するための脱落防止機構を備えていることを特徴とする小型ボールペン。
【請求項５】
請求項１から４のいずれか１項に記載の小型ボールペンにおいて、
前記ペン先の繰り出し機構は、繰り出されたペン先のロックが解除されたときに当該ペン先を本体内に引き込むように作用する弾性体を備えると共に、前記弾性体は当該クリップを所定の厚みを有する被挟持体に挟持させたときに当該クリップをしっかりと固定することができる程度の強度を有して構成されていることを特徴とする小型ボールペン。
【請求項６】
請求項５に記載の小型ボールペンにおいて、
前記クリップ部は、被挟持体の厚さに応じて変形可能とされていることを特徴とする小型ボールペン。
【請求項７】
請求項１から５のいずれか１項に記載の小型ボールペンにおいて、
前記クリップ部が拡大鏡機能を備えていることを特徴とする小型ボールペン。
【請求項８】
請求項７に記載の小型ボールペンにおいて、
ペン先のロックを解除した状態で前記クリップ部の下部側に位置する本体部分には文字、図形、記号、模様等を記載する記述部とされ、記述に記載された文字等を前記クリップ部の有する拡大鏡機能を介して見ることにより当該記載を拡大させて見ることができるようにされたことを特徴とする小型ボールペン。
【請求項９】
請求項２から８のいずれか１項に記載の小型ボールペンにおいて、
前記ボールペンの本体の端部側に位置して設けられた回転中心に回転可能に取着される前記回転板部に穿設された中心孔に、当該回転板部の回転に伴って回転する回転体が取着されると共に、当該回転体には所定のキャラクターや模様等が描かれた描写部を有し、ペン先の繰り出し操作に伴って描写部が回転するようにされたことを特徴とする小型ボールペン。
【発明の詳細な説明】
【技術分野】
【０００１】
本発明は、小型ボールペンに関し、特に、携帯電話のストラップやネックストラップ等への着脱が容易に行なえ、しかも筆記が容易な小型ボールペンに関する。
【背景技術】
【０００２】
従来の小型ボールペンとしては、例えば、図８（ａ）（ｂ）に示したような、本体７１と、キャップ部７２とにより構成される小型ボールペン７０が知られている。
本体７１は、インクの収められたボールペン軸を内装した軸筒７１ａと、蓋体７１ｄを備えている。また、キャップ部７２は、中空部７２ｄを有する筒体７２ａと、ストラップ７３を取着するためのリング７２ｃと、クリップ７２ｅを備えている。そして、本体７１の端部側面には雌型係合部７１ｂが形成されると共に、キャップ部７２には雄型係合部７２ｂが形成され、これによって本体７１とキャップ部７２とは着脱可能とされている。
【０００３】
図８（ａ）は小型ボールペン７０のペン先７１ｃをキャップ部７２内に収納した状態を示している。すなわち、キャップ部７２の中空部７２ｄに本体７１がペン先７１ｃ側から挿入され、雄型係合部７２ｂと雌型係合部７１ｂとが嵌合している。そして、リング７２ｃにはストラップ７３が取り付けられており、例えば、鞄や携帯電話等にぶら下げられて持ち運びされる。
【０００４】
図８（ｂ）は小型ボールペン７０の使用状態を示したものである。すなわち、本体７１をキャップ部７２から取り外し、蓋体７１ｄ側から中空部７２ｄに挿入して再び内部に収め、雄型係合部７２ｂと雌型係合部７１ｂとを嵌合させることにより使用状態となる。
この結果、小型ボールペン７０の全長は、使用しない場合には短く、使用する場合には長くすることができる。そのため、使用しない場合には邪魔にならない大きさとなり、使用する場合には使用に適した長さとすることができる。
【０００５】
また、従来の小型ボールペンとしては、図９（ａ）（ｂ）に示すような小型ボールペン８０もある。この小型ボールペン８０は、概略として、筒状ケース部８１と、蓋体ケース部８２と、ペン軸部８３とを備えて構成されている。そして、この小型ボールペン８０は、蓋体ケース部８２とペン軸８３とがバネ８２ａにより連結されており、ペン軸８３が筒状ケース部８１内に収納された状態で筒状ケース部８１と蓋体ケース部８２とが嵌合されている。
【０００６】
筒状ケース部８１は、その中空の内部側に雌型ネジ部８１ａが設けられると共に、ペン先８３ａを突出させるための突出孔８１ｂを有している。筒状ケース部８１の突出孔８１ｂとは反対側の端部に蓋体ケース部８２が嵌合される。
蓋体ケース部８２は、バネ８２ａを内装する中空部８２ｂと、蓋体ケース部８２を筒状ケース部８１に対して相対的に回転させるための回転部８２ｃと、ストラップ８４を取り付けるためのリング８２ｄを有している。
ペン軸８３は、ペン先部８３ａと、インクの収められた筒状部８３ｂと、ペン先８３ａとは反対側の筒状部８３ｂの端部側に配設されたバネ８２ａと、雌型ネジ部８１ａに螺合する雄型ネジ部８３ｃとを有している。
【０００７】
図９（ａ）は、ペン先８３ａを収納した状態の小型ボールペン８０を表している。小型ボールペン８０のペン先８３ａは、回転部８２ｃを回すと雌型ネジ部８１ａと雄型ネジ部８３ｃが螺合しながらペン先８３ａが移動して突出孔８１ｂより突出するようになっている。ペン先８３ａを突出させた状態を示したのが図９（ｂ）である。
【０００８】
逆に、回転部８２ｃを反対方向に回転させると、雌型ネジ部８１ａと雄型ネジ部８３ｃが螺合して軸筒部８３が筒状ケース部８１内に収納される方向に移動する。そして、バネ８２ａにより筒状部８３ｂが押圧されているので回しすぎても雌型ネジ部８１ａと雄型ネジ部８３ｃとの螺合が外れることはない。
【０００９】
一方、従来のボールペンのペン先の繰り出し機構としては図１０に示すようなものがある。このボールペン９０は、概略として、軸筒９１と、固定部９２と、コイルスプリング９３と、蓋体９４と、冠材９５と、ボールペン軸９６と、クリップ部９７と、そして、ピン９８と、を備えて構成されている（例えば、特許文献１参照）。
【００１０】
このボールペン９０の軸筒９１には、突出孔９１ａと、突出孔９１ａ近傍に設けられたスプリング９１ｂと、中空部９１ｃとを有している。ボールペン軸９６は固定部９２によって軸筒９１の中空部９１ｃ内で軸線がずれないように保持されている。ボールペン軸９６を支持する固定部９２の上方にはコイルスプリング９３と蓋体９４が、ボールペン軸９６を包み込むように取り付けられる。そして、固定部９２、コイルスプリング９３、蓋体９４、ボールペン本体９６を内部に取り込んだ軸筒９１に、ペン先９６ａ側とは反対側の端部に冠材９５が取り付けられている。
【００１１】
冠材９５には切り込みが設けられ、クリップ９７の回転板部９７ａが差し込まれると共にピン９８により回転可能に取着されている。回転板部９７ａには凹部９７ｂ及び凹部９７ｃが、回転中心を挟んだ対向位置に設けられている。そして、ピン９８から凹部９７ｂまでの長さよりも、ピン９８から凹部９７ｃまでの長さの方が長くなっている。尚、凹部９７ｂ及び９７ｃは蓋体９４に適合する半円状とされている。
【００１２】
図１０（ａ）は、軸筒９１内にボールペン軸９６が収納された状態を示している。この状態はクリップ９７の凹部９７ｂに、蓋体９４の端部がコイルスプリングの弾性力により押圧されているのでボールペン軸９６の位置が安定している。
そして、図１０（ａ）の状態からピン９８を中心としてクリップ９７を回転させるとペン先９６ａが突出孔９１ａから突出する（図１０（ｂ）参照）。すなわち、クリップ９７の先端を上方に持ち上げるようにして回転させると、回転板部９７ａも回転するので圧入されていた蓋体９４が、凹部９７ｂから外れる。回転板部９７ａをさらに回転させると今度は凹部９７ｃが下方に到達する。そして、蓋体９４は凹部９７ｃに押圧され、ボールペン軸は突出孔９１ａからペン先９６ａを突出させた位置で安定する。そして、使用後は、クリップ９７を下方に下げるように回転させて蓋体９４を再び凹部９７ｂに押圧させる。この結果、使用後は、ペン先９６ａがしっかりと軸筒９１内に収納される。
【００１３】
【特許文献１】実用新案登録第３０８０６０８号公報  請求項１  図３及び図４
【発明の開示】
【発明が解決しようとする課題】
【００１４】
しかしながら、図８に示した従来の小型ボールペン７０では、使用するために本体７１からキャップ部７２を取り外さなければならず面倒であり、しかも本体７１とキャップ部７２が分離する構造であるため使用時や携帯時にキャップ部７２又は本体７１を紛失するおそれもある。加えて、使用するごとにストラップ７３を外すのは容易ではなく、特に急いで使用したい場合には極めて不便であった。
【００１５】
また、図９に示した従来の小型ボールペン８０では、小型ボールペン７０のように部品の分離又は合体を行なう必要はないが、全体の長さが短いので実用面で使用し難いという問題があった。また、使用するごとにストラップ７３を外さなければならないことや急いで使用する場合には面倒であるという上述のボールペン７０の場合と同様の問題もあった。
【００１６】
一方、図１０に示した従来のボールペン９０にあっては、クリップ９７を引き起こして使用状態にすると軸筒９１にクリップ９７を合わせた全長を有するようになるので全体と支長すぎて使い勝手が悪くなるという問題点があった。また、ボールペン９０では、ストラップを取り付けて携帯するという思想は全く示されていない。
【００１７】
そこで、本発明が解決すべき課題は、小型で携帯が容易でありながら使用状態において使用しやすい長さとなって容易に筆記を行なうことが可能となる小型ボールペンを提供することである。
また、本発明が解決すべき課題は、携帯電話のストラップやネックストラップ等への着脱が容易に行なうことが可能な小型ボールペンを提供することである。
さらに、小型でありながら種々の有効な機構を併せ持った小型ボールペンを提供することである。
【課題を解決するための手段】
【００１８】
上記課題を解決するために請求項１記載の発明は、ボールペンの本体の端部側に回転中心を有するクリップを有し、クリップを引き起こして本体の軸方向に延伸するようにして位置させたときにペン先が繰り出されてロックされると共に、ペン先のロックを解除してクリップを元の位置に戻すと繰り出されたペン先が本体内に引き込まれてその状態でロックされるように形成されたペン先の繰り出し機構を備え、クリップを引き起こすことによりペン先を繰り出してロックしたときにちょうど持ちやすい長さとなるように構成されたことを特徴とする小型ボールペンを提供する。
【００１９】
上記課題を解決するために請求項２記載の発明は、請求項１に記載の小型ボールペンにおいて、クリップは、ボールペンの本体の端部側に位置して設けられた回転中心に回転可能に取着される中心孔が穿設された回転板部と、そして、回転板部から略Ｕ字状に曲がるようにして形成されたＵ字部から延びるクリップ部とを備えて構成され、本体の回転中心側の端部とＵ字部との間には隙間部を有して形成され、隙間部にストラップ等の保持用部材が掛止されるようにされたことを特徴とする。
【００２０】
上記課題を解決するために請求項３記載の発明は、請求項２に記載の小型ボールペンにおいて、Ｕ字部には、クリップをペン先が本体内に引き込まれる位置に戻したときに保持用部材の掛止位置がクリップの回転中心を通って伸びる本体の軸線方向上に位置するように案内する凸部が設けられていることを特徴とする。
【００２１】
上記課題を解決するために請求項４記載の発明は、請求項３に記載の小型ボールペンにおいて、クリップには保持用部材の脱落を防止するための脱落防止機構を備えていることを特徴とする。
【００２２】
上記課題を解決するために請求項５記載の発明は、請求項１から４のいずれか１項に記載の小型ボールペンにおいて、ペン先の繰り出し機構は、繰り出されたペン先のロックが解除されたときにペン先を本体内に引き込むように作用する弾性体を備えると共に、弾性体は当該クリップを所定の厚みを有する被挟持体に挟持させたときにクリップをしっかりと固定することができる程度の強度を有して構成されていることを特徴とする。
【００２３】
上記課題を解決するために請求項６記載の発明は、請求項５に記載の小型ボールペンにおいて、クリップ部は、被挟持体の厚さに応じて変形可能とされていることを特徴とする。
【００２４】
上記課題を解決するために請求項７記載の発明は、請求項１から５のいずれか１項に記載の小型ボールペンにおいて、クリップ部が拡大鏡機能を備えていることを特徴とする 。
【００２５】
上記課題を解決するために請求項８記載の発明は、請求項７に記載の小型ボールペンにおいて、ペン先のロックを解除した状態でクリップ部の下部側に位置する本体部分には文字、図形、記号、模様等を記載する記述部とされ、記述に記載された文字等をクリップ部の有する拡大鏡機能を介して見ることにより記載を拡大させて見ることができるようにされたことを特徴とする。
【００２６】
上記課題を解決するために請求項９記載の発明は、請求項２から８のいずれか１項に記載の小型ボールペンにおいて、ボールペンの本体の端部側に位置して設けられた回転中心に回転可能に取着される回転板部に穿設された中心孔に、回転板部の回転に伴って回転する回転体が取着されると共に、回転体には所定のキャラクターや模様等が描かれた描写部を有し、ペン先の繰り出し操作に伴って描写部が回転するようにされたことを特徴とする。
【発明の効果】
【００２７】
本発明によれば、片手で容易に且つ迅速にペン先を本体内から出し入れすることができ、筆記が容易に行なえる小型ボールペンを提供することが出来るという効果を有する。ペン先が本体内にひき込まれた時には全長が短いため携帯及び持ち運びがし易く、且つペン先が繰り出された時には全長が長いため使い勝手が良い小型ボールペンを提供することが出来るという効果を有する。
【００２８】
さらに、本発明によれば、クリップ部の回転により、携帯電話のストラップやネックストラップ等への着脱が容易に行なえることを可能にする小型ボールペンを提供することが出来るという効果を有する。
【００２９】
さらに、本発明によれば、使用しない状態にペン先を本体内に引き込んだときに、その状態で位置を安定し、携帯を容易に行なえる小型ボールペンを提供することが出来るという効果を有する。
【００３０】
さらに、本発明によれば、携帯中にストラップ等の保持用部材が不意に外れないようにする小型ボールペンを提供することができるという効果を有する。
【００３１】
さらに、本発明によれば、ストラップ等の保持用部材を用いないでも、容易に携帯を可能にする小型ボールペンを提供することができるという効果を有する。
【００３２】
さらに、クリップ部に拡大機能を有することにより、本体に記した文字等を拡大し、購入者に宣伝効果を発揮することが出来るようになる効果を有する。
また、クリップの回転中心に種々の形状又は種々の模様を描くことにより、回転動作に伴い二つの態様を表現することが出来るようになる効果を有する。そしてこれにより、優れた商業的効果を発揮することができ、例えば購入者の購入意欲を増進させることが出来るようになる効果を有する。
【発明を実施するための最良の形態】
【００３３】
本発明に係る小型ボールペンについて図示された一実施形態に基づいて、更に詳しく説明する。
図１は、本発明に係る小型ボールペンの第一の実施形態を示す斜視図である。また、図２は、図１に示した小型ボールペンの分解斜視図である。図示された小型ボールペン１０は、概略として、本体１と、ボールペン芯部２と、クリップ３と、中継部４と、弾性体５と、そして、ピン６と、を有して構成されている。
【００３４】
本体１は、軸方向に沿って筒状とされ、両端が貫通した中空部１ｄを有している。その一端にはボールペン芯部２のペン先２ａが本体１内に出入りする突出孔１ａが設けられている。他端側はクリップ３の回転板部３ａが取り付けられる取付部１ｂとなっている。また、回転板部３ａによりクリップ３を本体１に取り付けるために、取付部１ｂには中心孔１ｃが穿設されている。そして、この中心孔１ｃがクリップ３の回転する回転中心Ｃとなっている。また、本体１の中空部１ｄ内には、ボールペン芯部２と、中継部４が配設される領域が確保されている。尚、突出孔１ａの径の大きさは、後述するボールペン芯部２の肩部２ｂを通さない大きさで、且つペン先２ａを通す大きさとされている。
【００３５】
本体１は、例えば、合成樹脂により一体成型されて形成されている。本体１は、もちろんこれに限定されるものではなく、アルミニウム合金やマグネシウム合金等の金属や、木材等の種々の材料により形成可能である。また、一体成型に限らず、本体１を複数の部品により構成し、各部品を組み立てることも可能である。尚、本体１の断面形状が概略四角形を有しているが、これは円形でも、六角形等の多角形でもよいことはいうまでもない。
【００３６】
次に、ボールペン芯部２について説明する。図２に最もよく示されているように、ボールペン芯部２はその内部にインクが収容され、このインクをペン先２ａから順次送り出す構造になっている。ペン先２ａの根元の付近はペン先２ａよりも太い形状とされ、肩部２ｂを形成している。このボールペン芯部２は、一般的に用いられているボールペンの軸と同じ機構を有している。但し、ボールペン芯部２は、本体１に適合する長さ及び太さを有するように構成されている。そして、ボールペン芯部２はコイルバネである弾性体５の内部に挿入された状態で組み立て配置される。他方、ボールペン芯部２の開放端部２ｃ側は中継部４に挿入される。
【００３７】
弾性体５は、螺旋形状のコイルバネとされている。この弾性体５の内部は、ボールペン芯部２が入るスペースが形成されている。しかし、弾性体５の径は突出孔１ａの径よりも大きくなっているので突出孔１ａから飛び出すことなく係止され、肩部２ｂの上下運動により押圧されて伸縮する。このように弾性体５に挿入されたボールペン芯部２はバネの先端５ａ方向から貫通してぬけ落ちないようになっている。
【００３８】
中継部４は、ボールペン芯部２とクリップ３の回転板部３ａの間に配置され、ボールペン芯部２の開放端部２ｃが挿入される挿入部４ａと、回転板部３ａに形成された凸部３ｂ及びＵ字部３ｅに形成された凸部３ｃが嵌合する凹部４ｂを有して形成されている。挿入部４ａは開放端部２ｃの径よりも僅かに大きく形成されている。例えば、挿入部４ａの直径は開放端部２ｃの直径よりも１ｍｍ程度大きくすることが望ましい。他方、中継部４の凹部４ｂには、クリップ３の回転板部３ａに形成された凸部３ｂ及びＵ字部３ｅに形成された凸部３ｃがそれぞれ嵌合するようになっている。これにより、中継部４は、力をクリップ３から、弾性体５へ、又はボールペン芯部２に伝えることができる。もちろんこの逆にも力は伝えられる。尚、中継部４は、合成樹脂により形成されているが、金属や木材等の種々の材料で形成することができることはいうまでもない。
【００３９】
クリップ３は、凸部３ｂが設けられた回転板部３ａと、クリップ部３ｄと、回転板部３ａとクリップ部３ｄとをＵ字状に繋ぐと共にその側面に凸部３ｃが設けられたＵ字部３ｅと、Ｕ字部３ｅと回転板部３ａとの間に形成された隙間部３ｆと、回転板部３ａに穿設された孔３ｇと、そして、抜け防止部３ｈを有して形成されている。回転板部３ａは、本体１の取付部１ｂに、ピン６を用いて取り付けられる。ピン６は、雄部６ａが中心孔１ｃ、孔３ｇ、中心孔１ｃの順に挿入され、そして最後に雌部６ｂを螺合することにより、本体１にクリップ３が取り付けられる。本体１に取り付けられたクリップ３はピン６を回転中心Ｃとして、回転可能とされる。
【００４０】
凸部３ｂは、回転板部３ａに設けられている。それに対して、凸部３ｃはＵ字部３ｅに設けられている。そして、凸部３ｂ、３ｃはいずれも中継部４の凹部４ｂに嵌合される。この嵌合には、弾性体５の弾性力が主として働く。尚、凸部３ｂ、３ｃは、孔３ｇを中心として対称に配置されている。また、凸部３ｂ、３ｃは、ペン先２ａが本体１内に引き込まれているときや、ペン先が繰り出されているときには、小型ボールペン１０の軸線上に位置する。
【００４１】
クリップ３は、ポケットやノート等を挟持するクリップ部３ｄを有している。そして、回転板部３ａからクリップ部３ｄに至る大きく湾曲してＵ字部３ｅが形成されている。Ｕ字部３ｅと回転板部３ａとの間には、隙間部３ｆが形成されている。図１に示すように、隙間部３ｆには保持用部材としてのストラップ９が取り付けられるようになっている。そして、回転板部３ａには、ストラップが自然に外れな落ちることがないようにするために抜け防止部３ｈが形成されている。
【００４２】
クリップ３は、合成樹脂より形成されているが、金属や木材等の種々の材料により形成することも可能である。但し、クリップ３は、凹部４ｂと凸部３ｂ又は凹部４ｂと凸部３ｃが嵌合する位置の間を、中継部４上を滑りながら回転するので中継部４とクリップ３の材料は互いに滑りやすい摩擦の少ない材料で形成することが望ましい。
【００４３】
尚、小型ボールペン１０において、中継部４に凹部４ｂと、クリップ３に凸部３ｂ、３ｃを設けているが、中継部４に凸部を設けると共に、クリップ３に凹部を設けて互いに嵌合するように構成することもできる。
【００４４】
また、Ｕ字部３ｅには、クリップ３をペン先２ａを本体１内に引き込まれる位置に戻したときにストラップ９の掛止位置がクリップ３の回転中心Ｃを通って伸びる本体１の軸線方向上に位置するように案内する凸部３ｋが設けられている。この凸部３ｋによりストラップ９が図３における右側方向へ移動するのが阻止されると共に、ストラップ９が常にクリップ３の回転中心Ｃを通る小型ボールペン１０の軸線上に位置するように案内する。これにより、図３に示す矢印方向に力が働いてもクリップ３ｄが容易に回転しないようになっている。
【００４５】
次に、小型ボールペン１０のペン先２の繰り出し機構の動作をについて図３〜図５を用いて説明する。尚、図３〜図５は小型ボールペン１０の断面概略図である。図３はボールペン芯部２のペン先２ａが本体１内に収納した状態を示している。そして、図５はペン先２ａが本体１内から繰り出された使用状態を示している。そして、図４は、図３から図５への移行過程、又は図５から図３への移行過程を示している。
【００４６】
まず、収納状態では、図３に示すように、弾性体５の弾性力によりクリップ３の凸部３ｂが中継部４の凹部４ｂに押圧されており、ペン先２ａが本体１内に引き込まれた状態でペン先がロックされている。通常、この状態で、小型ボールペン１０の携帯及び持ち運びが行われる。
【００４７】
次に、小型ボールペン１０を使用する場合には、クリップ３のクリップ部３ｄを本体１から離れる方向に回動させる。回動している途中の状態を図４に示す。
回転中心Ｃを中心に回動することにより、回転板部３ａは徐々に中継部４を押し下げていく。これは、回転中心Ｃから凸部３ｂまでの長さよりも、回転中心Ｃから凸部３ｃまでの長さの方が長く形成されているからである。
【００４８】
クリップ３をさらに回動させていくと、凸部３ｃが凹部４ｂに適合する位置に達する。そして、凸部３ｃは、弾性体５の弾性力により凹部４ｂ内に押圧され固定される。このようにして、図５の状態に達すると、ペン先２ａは突出孔１ａから繰り出されてその位置で固定される。
【００４９】
図５に示す状態、すなわち、クリップ部３ｄが半回転して本体１の軸線上に位置することにより全長が長くなった状態で、図６に示すように、小型ボールペン１０を握ると、小型ボールペン１０が通常の長さを有するボールペンと同じように使用することが可能となる。この結果、小型ボールペン１０は使用しないときにはよりコンパクトに、そして使用する時には使用し易いちょうどよい長さとすすることができる。具体的には、例えば小型ボールペンは使用しないときには全長が約５ｃｍ以下の長さで、使用時には全長を約８ｃｍ以上にすることができる。
尚、使用可能状態（図５参照）から収納状態（図３参照）にするには上述の操作と逆の操作を実行すればよい。
【００５０】
ところで、図３に示したように、小型ボールペン１０にはストラップ９が吊り下げられている。この時、ストラップ９は隙間部３ｆに挿入され、Ｕ字部３ｅに掛止された状態となっている。そして、このストラップ９が簡単に抜け落ちないようにするために回転板部３ａの隙間部３ｆ側端部には僅かに突出するようにして抜け防止部３ｈが設けられている。
【００５１】
また、小型ボールペン１０は、図３のようにストラップ９により吊り下げられているときは、矢印で示す方向である小型ボールペン１０の軸上上向きの力が主として働いている。そのため、クリップ３に回転力を生み出す大きな回転モーメントがかからない。すなわち、ストラップ９からの力が、回転中心Ｃを通る小型ボールペン１０の軸線上に働いても、それだけでは容易にクリップ３ｄが回転して図４や図５の状態にならない。
【００５２】
しかし、クリップ部３ｄが本体１から離れる方向に力が加わると、容易にクリップ３は回転中心Ｃを中心に回転してしまう。これはクリップ３が長く、回転中心Ｃから力線までの長さが長いからである。つまり、少ない力で、大きな回転モーメントが生じるようになる。
【００５３】
一方、このようにクリップ３を回転させているときに、ストラップ９を図４に示された矢印のＸ方向であるクリップ３の先端の方向に移動させると、小型ボールペン１０を簡単にストラップ９から外すことができる。すなわち、片手で小型ボールペンを持ち、指でクリップ部３ｄを持ち上げればストラップを簡単に外すことができ小型ボールペン１０は直ぐに使用可能状態となる。
【００５４】
ところで、小型ボールペン１０のクリップは、弾性体５の弾性力により、凸部３ｂ、３ｃが中継部４の凹部４ｂに嵌合されて使用状態又は収納状態で位置が固定されている。そこで、弾性体５であるコイルスプリングの強度を調整して所定の強度とすることにより、すなわち、凹部４ｂへの凸部３ｂの押圧力を調整することにより、例えば、クリップ３ｄと本体１の間に紙やノート等の被挟持体を挟んで保持させることが可能となる。
【００５５】
このとき、クリップ部３ｄを、塑性変形したり、大きく弾性変形したりする材料、例えば、鉄やステンレス等の金属で構成すれば、被挟持体の厚み合わせてクリップ部３ｄ自体の形状を変形させることができ、従って、被挟持体の厚みが厚くてもクリップ部３ｄが斜めになって凸部３ｂが凹部４ｂから外れるということなく挟持体を挟持することが可能となる。
【００５６】
一方、クリップ部３ｄには種々の機能を備えるようにすることができる。
具体的には、例えば、クリップ部３ｄに拡大鏡機能を設けることができる。拡大鏡機能を有するものとして、クリップ部３ｄをアクリル等の光透過性のある材料によって断面形状をカマボコ形状としてレンズ機能を付加することができる。
これにより、ペン先を繰り出して使用可能状態にしたときにレンズ機能を備えたクリップ部３ｄを用いて小さな文字を読むことが可能となる。
【００５７】
また、小型ボールペン１０が収納状態にあり、クリップ部３ｄが本体１に接した状態となっているときに、クリップ部３ｄの下部に位置する本体１文字・記号等を記載しておけばクリップ部３ｄのレンズ機能により当該文字や図形等を拡大して見ることが出来るようになる。文字等として自社名を記載することにより小型ボールペン１０の使用者に自社名をアピールすることが出来る。
【００５８】
図７に示す小型ボールペン２０は、クリップ部２３の下の本体部分２１に「ＲＯＸＹ」と印字されていると共に、クリップ部２３がレンズ２２となったものである。これにより、レンズ２２の下の部分に記載された文字「ＲＯＸＹ」がクリップ部２３を介して大きく拡大されて見える。これにより、極めて高い宣伝効果を発揮させることができる。
【００５９】
さらに、本発明に係る小型ボールペンは、回転中心Ｃを中心に、クリップ３、２３が回転することを特徴としている。そのため、本体１の端部側に位置して設けられた回転中心Ｃである回転板部３ａに穿設された中心孔３ｇに、回転前後で表情の変わるキャラクターや模様等を描いた描写部を設けることによりペン先の繰り出し操作に伴ってキャラクター等が描かれた描写部が回転するようになるので子供等は興味をそそられ、購入意欲が倍増するという効果が期待できる。
【図面の簡単な説明】
【００６０】
【図１】本発明に係る小型ボールペンの第一の実施形態を示す斜視図である。
【図２】図１に示した小型ボールペンの分解斜視図である。
【図３】図１に示した小型ボールペンの断面概略図である。
【図４】図１に示した小型ボールペンの断面概略図である。
【図５】図１に示した小型ボールペンの断面概略図である。
【図６】図１に示した小型ボールペンの使用時の模式図である。
【図７】本発明に係る小型ボールペンの第二の実施形態を示す斜視図である。
【図８】従来の小型ボールペンの模式図であり、（ａ）は収納状態を示し、（ｂ）は使用可能状態を示している。
【図９】従来の小型ボールペンの模式図であり、（ａ）は収納状態を示し、（ｂ）は使用可能状態を示している。
【図１０】従来のボールペンの模式図であり、（ａ）は収納状態を示し、（ｂ）は使用可能状態を示している。
【符号の説明】
【００６１】
１０、２０  小型ボールペン
１  本体
１ａ  突出孔        １ｂ  取付部
１ｃ  中心孔            １ｄ  中空部
２  ボールペン芯部
２ａ  ペン先        ２ｂ  肩部
２ｃ  開放端部
３  クリップ
３ａ  回転板部      ３ｂ、３ｃ  凸部
３ｄ  クリップ部    ３ｅ  Ｕ字部
３ｆ  隙間部        ３ｇ  孔
３ｈ  抜け防止部
３ｋ  凸部
４  中継部
４ａ  挿入穴        ４ｂ  凹部
５  弾性体
５ａ  先端
６  ピン
６ａ  雄部          ６ｂ  雌部
９  ストラップ
２１  本体部分
２２  虫眼鏡
２３  クリップ部
Ｃ  回転中心
【図１】
2005035174.tif 000003
【図２】
2005035174.tif 000004
【図３】
2005035174.tif 000005
【図４】
2005035174.tif 000006
【図５】
2005035174.tif 000007
【図６】
2005035174.tif 000008
【図７】
2005035174.tif 000009
【図８】
2005035174.tif 000010
【図９】
2005035174.tif 000011
【図１０】
2005035174.tif 000012